(57)【要約】【課題】  一つの操作を行うと他の操作が自動的に行われることにより、注出時の操作性を向上させたカバー付き注出キャップを創出することを課題とする。【解決手段】  容器（１）の口筒部（２）に装着される装着部（１１）、ノズル（１２）とフランジ（１６）とが設けられた注出筒（１３）及び反転可能に設けられて注出筒（１３）を上下方向に移動させる反転部（１４）を有するキャップ本体（１０）と、インナーシール部（１７）内に挿入可能に配設されると共に注出筒（１３）の上下動に応じてインナーシール部（１７）の開栓及び閉栓を行う中栓（２３）と、注出筒（１３）全体を覆うカバー（３０）と、カバー（３０）をキャップ本体（１０）に対して回動自在に支持するヒンジ（４０）を備えた注出キャップであって、カバー（３０）の下面に、カバー（３０）を開いたときにフランジ（１６）を両側から掛止して注出筒（１３）を上方に引き上げて注出筒（１３）を開栓状態に設定する一対の引き上げ板（３２）を有する構成とした。【選択図】  図１
2015193404.tif 000002
【特許請求の範囲】
【請求項１】
容器（１）の口筒部（２）に装着される装着部（１１）、頭部に内容液を注出するノズル（１２）と側壁に形成されたフランジ（１６）とが設けられた注出筒（１３）及び前記装着部（１１）の頂部（１１ａ）に反転可能に設けられて前記注出筒（１３）を上下方向に移動させる反転部（１４）を有するキャップ本体（１０）と、前記注出筒（１３）の基端側から注出筒（１３）上端に設けられたインナーシール部（１７）内に挿入可能に配設されると共に前記注出筒（１３）の上下動に応じて前記インナーシール部（１７）の開栓及び閉栓を行う中栓（２３）と、前記注出筒（１３）全体を覆うカバー（３０）と、前記カバー（３０）をキャップ本体（１０）に対して回動自在に支持するヒンジ（４０）を備えた注出キャップであって、
前記カバー（３０）の下面に、前記カバー（３０）を開いたときに前記フランジ（１６）を両側から掛止して前記注出筒（１３）を上方に引き上げて前記注出筒（１３）を開栓状態に設定する一対の引き上げ板（３２）を有することを特徴するカバー付き注出キャップ。
【請求項２】
カバー（３０）を閉じたときに注出筒（１３）を下方に押し込んで前記注出筒（１３）を閉栓状態にする押圧突起（３１）を有する請求項１記載のカバー付き注出キャップ。
【請求項３】
引き上げ板（３２）の下端内面に、アンダーカット状の掛止部（３３）を形成した請求項１又は２記載のカバー付き注出キャップ。
【請求項４】
引き上げ板（３２）の形成位置を、押圧突起（３１）の形成位置よりもヒンジ（４０）から離れる正面側に寄った位置に形成した請求項１又は乃至３のいずれか一項に記載のカバー付き注出キャップ。
【請求項５】
フランジ（１６）を、正面側に拡幅部（１６ｂ）を有し、ヒンジ側に前記拡幅部（１６ｂ）よりも幅寸法の狭い狭幅部（１６ａ）を有する略正方形状の構成とした請求項１乃至４のいずれか一項に記載のカバー付き注出キャップ。
【請求項６】
注出筒（１３）の頭部に、押圧突起（３１）を受ける凹部（１３ａ）を設けた請求項１乃至５のいずれか一項に記載のカバー付き注出キャップ。
【発明の詳細な説明】
【技術分野】
【０００１】
本発明はカバー付き注出キャップ、特には注出時の操作性を向上させたヒンジ開閉式のカバー付き注出キャップに関する。
【背景技術】
【０００２】
キャップの天面部分に注出用のノズルを備えた注出キャップとして、例えば以下の特許文献１が存在する。
【０００３】
図５は従来例の注出キャップの一例を示す半断面図であり、特許文献１の図１に相当するものである。特許文献１に記載の技術では、図５に示すように、容器１０１の口筒部１０２に装着されているキャップ補助部材１１１を下げると、栓１１９が注出筒１１０上端開口を密閉する状態となり、この状態からキャップ補助部材１１１を引き上げることで注出筒１１０とノズル１１８とが連通し、またキャップ補助部材１１１を回動させることでノズル１１８突出方向を自由に変えることができるようになっている。
【先行技術文献】
【特許文献】
【０００４】
【特許文献１】実開平７−４０４８４号公報
【発明の概要】
【発明が解決しようとする課題】
【０００５】
しかし、引用文献１に記載の技術の場合、常にノズル１１８が外部に露出される構成であるため、ノズル１１８の出口付近に残った内容物が固化しやすいという問題がある。そこで、そのような問題を解消するための一例として、ノズル１１８全体を覆うヒンジ式のカバーを設けることが考えられる。
【０００６】
しかしながら、単にカバーを備えるだけの構成では、注出時にカバーを開ける操作に続いてキャップ補助部材１１１を引き上げる操作を行う必要があり、操作性に欠けるという問題が生じる。
【０００７】
本発明は、上記した従来技術における問題点を解消すべく、ヒンジ開閉式のカバー付き注出キャップにおいて、一つの操作を行うことで他の操作も自動的に行われるようにすることにより、注出時の操作性を向上させたカバー付き注出キャップを創出することを課題とする。
【課題を解決するための手段】
【０００８】
上記課題を解決するための手段のうち、本発明の主たる構成は、容器の口筒部に装着される装着部、頭部に内容液を注出するノズルと側壁に形成されたフランジとが設けられた注出筒及び装着部の頂部に反転可能に設けられて注出筒を上下方向に移動させる反転部を有するキャップ本体と、注出筒の基端側から注出筒上端に設けられたインナーシール部内に挿入可能に配設されると共に注出筒の上下動に応じてインナーシール部の開栓及び閉栓を行う中栓と、注出筒の全体を覆うカバーと、カバーをキャップ本体に対して回動自在に支持するヒンジを備えた注出キャップであって、カバーの下面に、カバーを開いたときにフランジを両側から掛止して注出筒を上方に引き上げて注出筒を開栓状態に設定する一対の引き上げ板を有することを特徴する、と云うものである。
【０００９】
本発明の主たる構成では、一つの操作としてカバーを開く操作を行うと、注出筒が上方に引き上げられ、このとき他の操作として中栓がインナーシール部から相対的に抜け出ることになり、内容液を注出可能な開栓状態に自動的に設定し得る。
【００１０】
また本発明の他の構成は、上記主たる構成に、カバーを閉じたときに注出筒を下方に押し込んで注出筒を閉栓状態にする押圧突起を有するとの構成を加えたものである。
【００１１】
上記構成では、一つの操作としてカバーを閉じる操作を行うと、注出筒が下方に押し下げられ、このとき他の操作として中栓がインナーシール部内に挿入されて密嵌合し、内容液の注出を不能とする閉栓状態に自動的に設定し得る。
【００１２】
また本発明の他の構成は、上記いずれかの構成に、引き上げ板の下端内面に、アンダーカット状の掛止部を形成したとの構成を加えたものである。
【００１３】
上記構成では、カバーを閉じたときに、掛止部が注出筒に設けられたフランジを乗り越えて確実に掛止し得る。
【００１４】
また本発明の他の構成は、上記いずれかの構成に、引き上げ板の形成位置を、押圧突起の形成位置よりもヒンジから離れる正面側に寄った位置に形成したとの構成を加えたものである。
【００１５】
上記構成では、カバーを開いたときに、掛止部の傾き角度が大きくなると共にヒンジ側に寄った位置を掛止するようになることで、掛止部によるフランジの掛止を容易に解除し得る。
【００１６】
また本発明の他の構成は、上記いずれかの構成に、フランジを、正面側に拡幅部を有し、ヒンジ側に拡幅部よりも幅寸法の狭い狭幅部を有する略正方形状の構成としたことを加えたものである。
【００１７】
上記構成では、カバーを開いた際に掛止部が拡幅部を掛止するときにはフランジを確実に引き上げることが可能となる。またカバーの開き角度が大きくなると、掛止部による掛止位置が拡幅部からヒンジ側の狭幅部寄りに位置ずれするので掛かり量が減少し、掛止状態が容易に解除されてカバーを簡単に開くことが可能となる。
【００１８】
また本発明の他の構成は、上記いずれかの構成に、注出筒の頭部に、押圧突起を受ける凹部を設けたとの構成を加えたものである。
【００１９】
上記構成では、押圧突起の下端が凹部に嵌ることにより、注出筒を確実に押圧して押し下げることを達成し得る。
【発明の効果】
【００２０】
本発明は、上記した構成となっているので、以下に示す効果を奏する。
本発明では、一つの操作として注出キャップを覆うカバーを開く操作を行うと、ノズルを有する注出筒が引き上げられ、他の操作として中栓によるインナーシール部の閉栓が解除されて自動的に開栓状態とすることができる。またフランジを掛止する掛止部が外れ易くなってカバーを簡単に開くことが可能となる。その結果、注出時の操作性に優れた注出キャップとすることができる。
【図面の簡単な説明】
【００２１】
【図１】本発明のカバー付き注出キャップの一実施例であり、Ａはカバーを閉じた状態を側方から示す断面図、Ｂはフランジと引き上げ板との関係をＡのａ−ａ線矢視方向から見た場合に相当する平面図である。
【図２】図１のカバー付き注出キャップを正面方向から示す断面図である。
【図３】Ａはカバーを開いた状態を示すカバー付き注出キャップの側方からの部分断面図、Ｂはフランジと引き上げ板との関係をＡのｂ−ｂ線矢視方向から見た場合に相当する平面図である。
【図４】カバーを開いた状態を示すカバー付き注出キャップの側方から示す断面図である。
【図５】従来例の注出キャップの一例を示す半断面図である。
【発明を実施するための形態】
【００２２】
以下、本発明の実施の形態について図面を参照しつつ説明する。
図１は本発明のカバー付き注出キャップの一実施例を示し、図１Ａはカバーを閉じた状態を側方から示す断面図、図１Ｂはフランジと引き上げ板との関係を図１Ａのａ−ａ線矢視方向から見た場合に相当する平面図である。図２は図１のカバー付き注出キャップを正面方向から示す断面図、図３Ａはカバーを開いた状態を示すカバー付き注出キャップの側方からの部分断面図、図３Ｂはフランジと引き上げ板との関係を図３Ａのｂ−ｂ線矢視方向から見た場合に相当する平面図、図４はカバーを開いた状態を示すカバー付き注出キャップを側方から示す断面図である。
【００２３】
なお、以下においては、図１Ｂ及び図３Ｂに示す中心軸Ｏを通り一方の側面から他方の側面に沿って延びる仮想線Ｌを挟んで図示右側をヒンジ側又は背面側とし、仮想線Ｌを挟んで図示左側をヒンジの逆側又は正面側として説明する。
【００２４】
図１乃至図４に示すカバー付き注出キャップ（以下、適宜「注出キャップ」という。）は、例えば洗剤、シャンプー、リンス等の内容液を収容したボトル型の容器１の口筒部２に装着して使用するものであり、主としてキャップ本体１０、固定栓体２０及びカバー３０を有して構成される。
【００２５】
キャップ本体１０は合成樹脂成製であり、口筒部２の外側に螺合する円筒状の装着部１１を有し、その中央には略有頂筒形状からなる注出筒１３が立設されている。装着部１１の頂部１３ａの内縁と注出筒１３の基端との間には、頂壁を肉薄状に形成してなる反転部１４が設けられている。注出筒１３は、この反転部１４が反転変形することにより上下方向に移動可能に支持されている。注出筒１３の頭部には傾斜状に延びるノズル１２が、注出筒１３頭部の下面には流路１５内に延びる短円筒状のインナーシール部１７が垂下設されている。また図１Ｂに示すように、注出筒１３の側壁にフランジ１６が形成され、注出筒１３の頭部には後述するカバー３０に設けられた押圧突起３１を受けるための凹部１３ａが形成されている。
【００２６】
図１Ｂに示すように、フランジ１６は４辺を有する略正方形状であるが、より詳しくは正面側（又は背面側）から見たフランジ１６の両サイドのうち、仮想線Ｌを挟んで図示右側（背面側）のヒンジ４０側に幅寸法Ｗ１からなる狭幅部１６ａを有し、これとは逆となる図示左側（正面側）であるヒンジ４０の逆側に幅寸法Ｗ２からなる拡幅部１６ｂを有する形状である。狭幅部１６ａの幅寸法Ｗ１は、拡幅部１６ｂの幅寸法Ｗ２に比較して若干狭い寸法で形成されている。そして、狭幅部１６ａと拡幅部１６ｂの境目には傾斜部１６ｃ，１６ｃが形成されている。
【００２７】
固定栓体２０も合成樹脂製であり、円板状の支持部２１と、支持部２１の中央に設けられた有底筒状のカップ部２２と、このカップ部２２の底部中央に立設された中栓２３を有して構成され、カップ部２２の側面には断面逆Ｌ字形状に開口する通過孔２４が周方向に一定の間隔を有して複数形成されている。容器内１の内容液はこの通過孔２４を介して注出筒１３内の流路１５に導かれる。固定栓体２０は、支持部２１の縁部が装着部１１と口筒部２の先端との間に挟み込まれて、不動の状態で支持されている。中栓２３は注出筒１３内の流路１５中に挿入されており、その先端はインナーシール部１７に挿入可能となっている。
【００２８】
カバー３０は、ヒンジ４０を介してキャップ本体１０の装着部１１の上縁部に回動自在に連結されている。カバー３０の頂部下面の中央の位置には、押圧突起３１が垂下設され、またカバー３０の頂部下面には互いに平行に設けられた一対の引き上げ板３２，３２が垂下設されている。一対の引き上げ板３２は、図１Ａに示す側方から見て中央の押圧突起３１よりも正面側（ヒンジ４０から離れる側）に寄った位置で、且つ図２に示す正面側から見て押圧突起３１を挟んで左右対称の位置に垂下設されている。一対の引き上げ板３２の先端内側には、アンダーカット状の掛止部３３，３３がそれぞれ形成されている。
【００２９】
上記構成からなる注出キャップの動作について説明する。
（１）カバー閉鎖時の動作
カバー３０を閉じると、押圧突起３１の下端が注出筒１３の頭部に形成された凹部１３ａに当接して注出筒１３を下方に押し下げる。この押し下げにより反転部１４が下方に反転するため、注出筒１３全体が図１Ａ及び図２に示す下方位置に移動させられる。
【００３０】
この下方位置では、図１Ａに示すように中栓２３の先端がインナーシール部１７に密嵌合し、流路１５とノズル１２との連通を遮断して注出キャップを閉栓状態に設定する。同時に、一対の引き上げ板３２，３２が広がる方向に弾性変形し、一対の掛止部３３，３３がフランジ１６の拡幅部１６ｂ，１６ｂを下方に乗り越えてフランジ１６下面の両サイドを掛止する（図２参照）。この下方位置では、掛止部３３が略水平姿勢にあるのでフランジ１６を掛止する掛かり量が最大の状態にある。
【００３１】
（２）カバー開放時の動作
次に、カバー３０を開けると、一対の掛止部３３，３３がフランジ１６の拡幅部１６ｂ，１６ｂを掛止しながら上方に引き上げるため、反転部１４が上方に反転して注出筒１３は図３Ａ及び図４に示す上方位置に移動させられる。このとき、図４に示すように、中栓２３がインナーシール部１７から相対的に抜け出し、流路１５とノズル１２とが連通することで注出キャップを開栓状態に設定する。
【００３２】
またこの際には、カバー３０はヒンジ４０を支点として回動することになるが、図３Ａに点線で示すように、掛止部３３の傾き角度が大きくなって傾斜姿勢でフランジ１６を掛止することになる。また図３Ｂに示すように、カバーの開き角度が大きくなると、拡幅部１６ｂを掛止していた掛止部３３の掛止位置が若干狭幅部１６ａ側（ヒンジ側）に寄った位置に位置ずれするため、掛止部３３がフランジ１６を掛止する掛かり量が減少することになる。よって、さらにカバー３０を開くと、一対の掛止部３３，３３によるフランジ１６の両サイドの掛止が容易に外れ、カバー３０を簡単に開けることができるようになる。その結果、注出キャップの注出時の操作性を向上させることができる。
【００３３】
以上、実施例に沿って本発明の構成とその作用効果について説明したが、本発明の実施の形態は上記実施例に限定されるものではない。
【００３４】
例えば、上記実施例では狭幅部１６ａと拡幅部１６ｂを有する略正方形状からなるフランジ１６を示して説明したが、本発明の実施の形態は上記実施例に限定されるものではなく、フランジ１６を円形状とすることもできる。ただし、上記実施例に示すように略正方形状とした場合には掛止部３３がフランジ１６を確実に掛止することができる点で好ましい。
【産業上の利用可能性】
【００３５】
本発明のカバー付き注出キャップでは、容器の口筒部に装着されて内容液の注出を行う注出キャップの分野における用途展開をさらに広い領域で図ることができる。
【符号の説明】
【００３６】
１    ：  容器
２    ：  口筒部
１０  ：  キャップ本体
１１  ：  装着部
１１ａ：  頂部
１２  ：  ノズル
１３  ：  注出筒
１３ａ：  凹部
１４  ：  反転部
１５  ：  流路
１６  ：  フランジ
１６ａ：  狭幅部
１６ｂ：  拡副部
１６ｃ：  傾斜部
１７  ：  インナーシール部
２０  ：  固定栓体
２１  ：  支持部
２２  ：  カップ部
２３  ：  中栓
２４  ：  通過孔
３０  ：  カバー
３１  ：  押圧突起
３２  ：  引き上げ板
３３  ：  掛止部
４０  ：  ヒンジ
【図１】
2015193404.tif 000003
【図２】
2015193404.tif 000004
【図３】
2015193404.tif 000005
【図４】
2015193404.tif 000006
【図５】
2015193404.tif 000007